(57)【要約】【課題】腰の弱い反ったＰＴＰ等包装剤でも安定排出できる簡素なＰＴＰカセットを安価に実現する。【解決手段】横にしたＰＴＰ包装剤８を縦に積み重ねて収納空間１１に保持する整列収納部２０と、無端ベルト３４の引掛部材３５にて最下ＰＴＰ包装剤８１を前送りする順次排出機構３０とを備え、ＰＴＰ包装剤８を下から順に横送りして排出口２５から前方へ排出するＰＴＰカセット１０において、前後に延びた細長い案内部材４０を設け、その上端部(42)を下から収納空間１１へ突き出させて、突起部(8b)を下にした最下ＰＴＰ包装剤８１を突起部同士の間に収まった案内部材４０の上端部によって支承するとともに、案内部材４０の上端部に案内溝(43)を形成して無端ベルト３４を案内させる。無端ベルト３４にＶベルトを採用し、可撓性留具２４の髭状部分を凸形２４ｂ，２４ｃにし、案内部材４０の上端部の前端寄り部分(44)を傾斜させる。【選択図】        図１
2015150309.tif 000002
【特許請求の範囲】
【請求項１】
薬剤をシート片面の突起部に区分収納したＰＴＰ包装剤またはそれと等価なシート状包装剤であるＰＴＰ等包装剤を各々は横にしたうえで縦に積み重ねて整列収納させた状態で保持する整列収納部と、前記ＰＴＰ等包装剤のうち最も下になっている最下ＰＴＰ等包装剤の後端を引っ掛ける引掛部材を外周側に装備した無端ベルトを循環運動させることにより前記整列収納部の内底で前記最下ＰＴＰ等包装剤を前送りする順次排出機構とを備えていて、前記ＰＴＰ等包装剤を下から順に横送りして前記整列収納部の排出口から前方へ排出するＰＴＰカセットにおいて、細長い案内部材がその上端部を前記整列収納部の収納空間へ下から突き出した状態で且つ長手方向を前後に向けた状態で設けられており、前記収納空間で前記最下ＰＴＰ等包装剤が前記突起部の形成面を下にしていれば前記案内部材の前記上端部が前記最下ＰＴＰ等包装剤の前記突起部同士の間に収まって前記最下ＰＴＰ等包装剤を前後方向移動可能に支承するようになっており、前記無端ベルトのうち上側に来た部分を収めて循環経路を規定する案内溝が前記案内部材の前記上端部の上面に形成されていることを特徴とするＰＴＰカセット。
【請求項２】
前記無端ベルトがＶベルトであり、前記無端ベルトを転回させるプーリーの外周面には一周に亘って前記無端ベルトを収める周回溝が形成されており、この周回溝の断面形状が前記Ｖベルトの断面形状に対応していることを特徴とする請求項１記載のＰＴＰカセット。
【請求項３】
凸形を上下反転させた形状をしている髭状の可撓性留具が前記排出口の開度を加減する調整部材として設けられており、前記可撓性留具の凸形中央の突出部分が前記案内溝の前方延長線上に位置していることを特徴とする請求項１又は請求項２に記載されたＰＴＰカセット。
【請求項４】
前記案内部材の前記上端部の上面は前端寄り部分が中央部分に比べて下向きに傾斜していることを特徴とする請求項１乃至請求項３の何れか一項に記載されたＰＴＰカセット。
【請求項５】
前記案内部材が全体を若しくは前記上端部を付け替えられるようになっている又は前記案内部材が全体を若しくは前記上端部を上げ下げ調整しうるようになっていることを特徴とする請求項１乃至請求項４の何れか一項に記載されたＰＴＰカセット。
【発明の詳細な説明】
【技術分野】
【０００１】
この発明は、幾つかの薬剤を一枚のシートに区分収納したＰＴＰ包装剤またはそれと等価なシート状包装剤であるＰＴＰ等包装剤を整列収納して順次排出するＰＴＰカセットに関し、詳しくは、ＰＴＰ等包装剤を積み重ねて多数保持するとともに下から順に長手方向へ横送りして排出するＰＴＰカセットに関する。
【背景技術】
【０００２】
薬剤を閉じ込めたポケット（区分収納用の突起部）がシート片面に縦横に形成されておりシート他面が平坦なＰＴＰ等包装剤を対象として、それぞれを横向きの姿勢にしたうえで積み重ねて多数保持するとともに下から順に長手方向へ横送りして順次排出するようになったＰＴＰカセットが、幾つか開発されている（例えば特許文献１〜３参照）。
何れのＰＴＰカセットも、収納空間を画する箱状の整列収納部と、その下に設けられた順次排出機構とを備えており、そのうち整列収納部は、ＰＴＰ等包装剤を各々は横にしたうえで収納空間の内底の部材の上に載せて縦に積み重ねて整列収納させた状態で保持するようになっており、順次排出機構は、整列収納部に保持されているＰＴＰ等包装剤を下から順に横送りして前方へ排出するようになっている。
【０００３】
整列収納部は、何れのカセットでも構成が似ており、整列状態維持のため内底の上の収納空間が前板と両側板で囲まれているが、ＰＴＰ等包装剤の補充のため、上面が解放されている。また、補充作業容易化のため後背面まで解放されたり、整列状態安定化のため収納空間の内底部材が少し前下がりに傾けられたりしている。さらに、横送り排出のため、前板のうち内底の前端のところが切り欠かれて、排出口が形成されており、排出確認のため排出口の下方には排出センサが置かれている。前板には、排出口の上部に位置して排出口の開度を加減する調整部材が付設されており、調整部材には、髭状の可撓性留具や単純な板状体が採用されており、髭状の可撓性留具を複数設けたうえで、その高さ調整を個々に行えるようにしたものもある（特許文献２参照）。
【０００４】
順次排出機構は、整列収納部に保持されているＰＴＰ等包装剤のうち最も下になっている最下ＰＴＰ等包装剤に接触作用する可動部材と、この可動部材を運動させて最下ＰＴＰ等包装剤を前送りさせることにより排出口から前方へ放出させる駆動機構とを備えている点は、何れのカセットにも共通しているが、可動部材がＰＴＰ等包装剤の後端に当接作用する引掛部材や押出部材であって駆動機構がその可動部材を内底部材に沿って前送りする機構になっている後端当接タイプと（特許文献１，２参照）、平坦面を上にし突起部形成面を下にして縦に積み重ねられたＰＴＰ等包装剤の突起部に可動部材が当接作用して最下ＰＴＰ等包装剤を前送りする突起部当接タイプと（特許文献３参照）、平坦面を下にして縦に積み重ねられたＰＴＰ等包装剤の平坦面に可動部材としての回転輪が摩擦作用することで最下ＰＴＰ等包装剤を前送りする平坦面摩擦タイプとがある（特許文献４参照）。
【先行技術文献】
【特許文献】
【０００５】
【特許文献１】特開２００９−２９７４６６号公報
【特許文献２】特開２０１１−１７２６７５号公報
【特許文献３】特開２０１２−２８３９４９号公報
【特許文献４】特開２０１２−１４７８１３号公報
【発明の概要】
【発明が解決しようとする課題】
【０００６】
このような従来のＰＴＰカセットのうち、最初に挙げた後端当接タイプのもの、更にその中でも引掛部材を用いる後端引掛タイプのＰＴＰカセットは、シートのカール性に起因してＰＴＰ等包装剤が突起部形成面を内側にして曲がって浅溝状の樋のように反った場合でも高速排出が可能なうえ、構成が簡素なので、多用されている。この後端引掛タイプの場合、突起部当接タイプのようにＰＴＰ等包装剤の平坦面を上にして縦積みしても、平坦面摩擦タイプのようにＰＴＰ等包装剤の平坦面を下にして縦積みしても、原理的には横送り排出可能であるが、平坦面を上にし突起部形成面を下にしてＰＴＰ等包装剤を縦積みした場合にはＰＴＰ等包装剤の反り具合によって後端引掛位置の高さが変わりやすいため引掛部材に高性能のものが必要になるのに対し、平坦面を下にし突起部形成面を上にしてＰＴＰ等包装剤を縦積みした場合には後端引掛位置の高さ変動が比較的小さくて引掛部材の負担が軽いので延いては引掛部材が簡素かつ安価なもので済むので、平坦面を下にし突起部形成面を上にしてＰＴＰ等包装剤を縦積みする態様で使用されている。
【０００７】
一方、突起部当接タイプのＰＴＰカセットは、ＰＴＰ等包装剤が反っていても更にはＰＴＰ等包装剤が腰の弱いものであっても、縦積みされたＰＴＰ等包装剤を下から順に横送りするのを安定かつ的確に実行することができる。そのため、後端引掛タイプのＰＴＰカセットでは横送りが安定しないほど腰の弱いＰＴＰ等包装剤を取り扱うときには、突起部当接タイプのＰＴＰカセットが使用されることが多い。この突起部当接タイプのＰＴＰカセットでは、ＰＴＰ等包装剤の突起部に当接作用する可動部材が引掛部材より高価なので排出口寄りの前側部分に配置されるとともに、その後ろ側には安価な条材が配置される。この条材は、長手方向を前後に向けた状態で収納空間の内底に固定されていて、最下ＰＴＰ等包装剤の突起部の間に収まって該ＰＴＰ等包装剤を前後方向移動可能に支承する案内部材となって、可動部材の原価低減に寄与している。
【０００８】
しかしながら、このようにしてコストダウンしても、突起部当接タイプのＰＴＰカセットでは、可動部材の当接部のピッチをＰＴＰ等包装剤の突起部の長手方向ピッチに適合させる必要があって、突起部の長手方向ピッチの異なるＰＴＰ等包装剤については別の可動部材を採用しなければならないため、そのような必要のない後端引掛タイプと同等のレベルまでコストダウンを推し進めるのが難しい。
そこで、後端引掛タイプと突起部当接タイプとから良いところ取りすることにより、腰が弱いうえに反りがあるＰＴＰ等包装剤でも安定して排出できる簡素で安価なＰＴＰカセットを実現することが技術的な課題となる。
【課題を解決するための手段】
【０００９】
本発明のＰＴＰカセットは（解決手段１）、このような課題を解決するために創案されたものであり、薬剤をシート片面の突起部に区分収納したＰＴＰ包装剤またはそれと等価なシート状包装剤であるＰＴＰ等包装剤を各々は横にしたうえで縦に積み重ねて整列収納させた状態で保持する整列収納部と、前記ＰＴＰ等包装剤のうち最も下になっている最下ＰＴＰ等包装剤の後端を引っ掛ける引掛部材を外周側に装備した無端ベルトを循環運動させることにより前記整列収納部の内底で前記最下ＰＴＰ等包装剤を前送りする順次排出機構とを備えていて、前記ＰＴＰ等包装剤を下から順に横送りして前記整列収納部の排出口から前方へ排出するＰＴＰカセットにおいて、細長い案内部材がその上端部を前記整列収納部の収納空間へ下から突き出した状態で且つ長手方向を前後に向けた状態で設けられており、前記収納空間で前記最下ＰＴＰ等包装剤が前記突起部の形成面を下にしていれば前記案内部材の前記上端部が前記最下ＰＴＰ等包装剤の前記突起部同士の間に収まって前記最下ＰＴＰ等包装剤を前後方向移動可能に支承するようになっており、前記無端ベルトのうち上側に来た部分を収めて循環経路を規定する案内溝が前記案内部材の前記上端部の上面に形成されていることを特徴とする。
【００１０】
また、本発明のＰＴＰカセットは（解決手段２）、上記解決手段１のＰＴＰカセットであって、前記無端ベルトがＶベルトであり、前記無端ベルトを転回させるプーリーの外周面には一周に亘って前記無端ベルトを収める周回溝が形成されており、この周回溝の断面形状が前記Ｖベルトの断面形状に対応していることを特徴とする。
【００１１】
さらに、本発明のＰＴＰカセットは（解決手段３）、上記解決手段１，２のＰＴＰカセットであって、凸形を上下反転させた形状をしている髭状の可撓性留具が前記排出口の開度を加減する調整部材として設けられており、前記可撓性留具の凸形中央の突出部分が前記案内溝の前方延長線上に位置していることを特徴とする。
【００１２】
また、本発明のＰＴＰカセットは（解決手段４）、上記解決手段１〜３のＰＴＰカセットであって、前記案内部材の前記上端部の上面は前端寄り部分が中央部分に比べて下向きに傾斜していることを特徴とする。
【００１３】
また、本発明のＰＴＰカセットは（解決手段５）、上記解決手段１〜４のＰＴＰカセットであって、前記案内部材が全体を若しくは前記上端部を付け替えられるようになっている又は前記案内部材が全体を若しくは前記上端部を上げ下げ調整しうるようになっていることを特徴とする。
【発明の効果】
【００１４】
このような本発明のＰＴＰカセットにあっては（解決手段１）、可動部材として引掛部材を具備した後端引掛タイプを踏襲していて、反ったＰＴＰ等包装剤でも安定して排出することができるのに加え、突起部当接タイプから細長い案内部材を導入し、それを整列収納部の内底に突出状態かつ前後延伸状態で設けて、突起部の形成面を下にした最下ＰＴＰ等包装剤を突起部間に収まる案内部材の上端部にて前後方向移動可能に支承するとともに左右方向変形を規制することにより、腰の弱いＰＴＰ等包装剤までも安定して排出することができる。しかも、循環する無端ベルトのうち上側に来た部分を収める案内溝を案内部材の上端部の上面に形成したことにより、平坦面を上にし突起部形成面を下にしてＰＴＰ等包装剤を縦積みしても、ＰＴＰ等包装剤に反りが有ろうと無かろうとＰＴＰ等包装剤のシート部分と無端ベルトとが接近するため、引掛部材が簡素かつ安価なもので済む。
したがって、この発明によれば、腰が弱いうえに反りがあるＰＴＰ等包装剤でも安定して排出できる簡素で安価なＰＴＰカセットを実現することができる。
【００１５】
また、本発明のＰＴＰカセットにあっては（解決手段２）、無端ベルトにＶベルトを採用するとともに、無端ベルトを収めるプーリーの周回溝や案内部材の案内溝をＶベルトの断面形状に対応させたことにより、案内部材の上端部をＰＴＰ等包装剤の突起部の間に収められるようにすべく無端ベルトや引掛部材の横幅をＰＴＰ等包装剤の突起部同士の間隙より小さいところまで縮小しても、無端ベルトとプーリーとの接触面積の減少を抑制・回避するとともに、無端ベルトがプーリーの周回溝に食い込むこと等によって十分な摩擦力を確保することにより、無端ベルト更には引掛部材を安定走行させることができるため、所要の性能を維持しながらコストダウンを進めることができる。
【００１６】
さらに、本発明のＰＴＰカセットにあっては（解決手段３）、排出口の開度を加減する調整部材として使い慣れた髭状の可撓性留具を採用しているが、その形状については凸形を上下反転させた形状にしたことにより、可撓性留具の上下位置調整に際して、可撓性留具のうち凸形両側の基部・非突出部分が下から二番目のＰＴＰ等包装剤の前端に当接するとともに、可撓性留具のうち凸形中央の突出部分が最下ＰＴＰ等包装剤の前端に当接するように調整しておけば、可撓性留具を複数にするまでもなく、二番目とそれより上のＰＴＰ等包装剤を整列収納部の収納空間に確実に留め置く行うことができるうえ、最下ＰＴＰ等包装剤については、例えそれが反っていたとしても、排出口からの勝手な滑り出しを防止しつつ、引掛部材による送り出しを円滑に行うことができる。
【００１７】
また、本発明のＰＴＰカセットにあっては（解決手段４）、案内部材の上面のうち前端寄り部分を中央部分よりも下向きに傾斜させたことにより、最下ＰＴＰ等包装剤の排出姿勢に関して早めに斜め下方を向くような姿勢誘導がなされるため、前側での転回時に下降速度成分を増すのに伴って負担も増加しがちな引掛部材に掛かる負荷を軽減することができる。
【００１８】
また、本発明のＰＴＰカセットにあっては（解決手段５）、突起部の高さの異なる種々のＰＴＰ等包装剤に対して容易に適合させることができる。
具体的には、案内部材に最下ＰＴＰ等包装剤を支承させるために、収納空間の底面から案内部材の上面までの高さがＰＴＰ等包装剤の突起部の高さより大きくなるように設定・調整を行うが、最下ＰＴＰ等包装剤が左右に傾き過ぎない範囲で設定・調整を行えば良いことから、許容範囲が広くて設定・調整を細かく行う必要がないので、容易である。
【図面の簡単な説明】
【００１９】
【図１】本発明の実施例１について、ＰＴＰカセットの全体構造を示し、（ａ）が平面図、（ｂ）が左側板を外した状態の左側面図、（ｃ）がそれにＰＴＰ包装剤を整列収納した状態の左側面図、（ｄ）がその一部の背面図である。
【図２】幾つかの部材を示し、（ａ）が案内部材の平面図、（ｂ）が案内部材の左側面図と正面図、（ｃ）が案内部材の縦断左側面図と縦断正面図、（ｄ）がプーリーの側面図と正面図、（ｅ）が無端ベルトの左側面図、（ｆ）がプーリーと無端ベルトとの嵌合部の縦断面図である。
【図３】（ａ）が可撓性留具の左側面図と正面図、（ｂ）がＰＴＰ包装剤の斜視図、（ｃ）が可撓性留具と最下ＰＴＰ包装剤や二番目ＰＴＰ包装剤との位置関係を示す正面図である。
【図４】（ａ），（ｂ）何れも排出動作中のＰＴＰカセットについて左側板を透視した状態の左側面図である。
【発明を実施するための形態】
【００２０】
このような本発明のＰＴＰカセットについて、これを実施するための具体的な形態を、以下の実施例１により説明する。
図１〜４に示した実施例１は、上述した解決手段１〜５（出願当初の請求項１〜５）を総て具現化したものである。
なお、それらの図示に際しては、簡明化等のため、フレームや，ボルト等の締結具，ヒンジ等の連結具，電動モータ等の駆動源，ギヤ等の伝動部材，モータドライバ等の電気回路，コントローラ等の電子回路（制御手段）などは図示を割愛し、発明の説明に必要なものや関連するものを中心に図示した。
【実施例１】
【００２１】
本発明のＰＴＰカセットの実施例１について、その具体的な構成を、図面を引用して説明する。図１は、（ａ）が空のＰＴＰカセット１０の平面図、（ｂ）が左側板２２を外したＰＴＰカセット１０の左側面図、（ｃ）が複数枚のＰＴＰ包装剤８，…を積み重ねて整列収納したＰＴＰカセット１０について左側板２２を透視した状態で図示した左側面図、（ｄ）がそのＰＴＰカセット１０の下側部分の背面図である。
【００２２】
また、図２は、（ａ）が案内部材４０の平面図、（ｂ）が案内部材４０の左側面図と正面図、（ｃ）が案内部材４０の縦断左側面図と縦断正面図、（ｄ）がプーリー３３の側面図と正面図、（ｅ）が無端ベルト３４の左側面図、（ｆ）がプーリー３３と無端ベルト３４との嵌合部の縦断面図である。さらに、図３は、（ａ）が髭状の可撓性留具２４の左側面図と正面図、（ｂ）がＰＴＰ包装剤８の斜視図、（ｃ）が可撓性留具２４と最下ＰＴＰ包装剤８１や二番目ＰＴＰ包装剤８２との位置関係を示す部分の正面図である。
【００２３】
このＰＴＰカセット１０は（図１参照）、収納空間１１に整列収納された複数のＰＴＰ包装剤８，８，…を下から順に横送りして排出口２５から前方へ排出するものであり、そのために、整列収納部２０と順次排出機構３０と案内部材４０と図示しない排出センサ及び制御手段とを具備している。
取扱対象のＰＴＰ包装剤８は（図３（ｂ）参照）、シート部８ａの片面（図では表面・上面）に幾つかの突起部８ｂ，８ｂ，…がマトリクス状（図では７行２列）に並んで形成されており、それぞれの突起部８ｂに錠剤やカプセル剤などの薬剤が区分収納されて突起部８ｂが薬剤区分収納部になっている。シート部８ａの他面（図では裏面・下面）は、反り等の不所望な変形を除けば、平坦になっている。
【００２４】
整列収納部２０は（図１参照）、右側板２１と左側板２２と前板２３と具備していて収納空間１１の三方を囲うとともに、順次排出機構３０の上に装着されると順次排出機構３０の上板３１に底板（内底画成部材）を兼ねさせることで収納空間１１の四方を囲うようになっている。上面と背面は解放されているので、そこから収納空間１１にＰＴＰ包装剤８が横にして入れられると、複数のＰＴＰ包装剤８，８，…を各々は横にしたうえで縦に積み重ねて整列収納させた状態で保持するのであるが、その際、後で詳述する案内部材４０との関係でＰＴＰ包装剤８はシート部８ａの両面のうち突起部８ｂの形成されたシート片面を下にし突起部８ｂの無いシート他面を上にして重ねることを要するものとなっている。
【００２５】
前板２３の下方に排出口２５が開口していることや、排出口２５の開度を可変する出口開度調整部材として可撓性留具２４が装備されていることは従来品と同じであるが、可撓性留具２４の具体的構造等は、改良されているので、後で詳述する。なお、側板２１，２２や前板２３は、簡明化のため、単純な固定板のように図示したが、実用化に際しては、収納空間１１の幅や長さをＰＴＰ包装剤８のサイズに適合させるのが容易に行えるように、取付位置や連結位置を適宜可変調整しうるようにものとなっている（例えば特願２０１３−０７７６９６号参照）。また、内底画成部材となる内底板を独自に具備しても良く、それを側板２１，２２の取付や位置調整に利用するようにしても良い。
【００２６】
順次排出機構３０は（図１参照）、上板３１を具備した箱状体３２の内部に、前後一対のプーリー３３，３３と、それを回転駆動する図示しない電動モータ及び伝動機構とを具えている。それに加えて、鉤状の引掛部材３５を外周側に装備した無端ベルト３４も具えているが、この無端ベルト３４は、箱状体３２の内部でプーリー３３，３３に懸架されるとともに、上板３１から上の収納空間１１へ突き出ている後述の案内部材４０にも掛け回されていて、モータ作動時に、上側部分は収納空間１１の中の内底近くを通り、下側部分と両転回部分は箱状体３２の中を通って、循環運動する。そして、それに随伴して引掛部材３５が、巡回運動をし、上側に来ると案内部材４０に案内されて収納空間１１の内底を後端側から前端側へ進行するが、その際、収納空間１１に整列収納されているＰＴＰ包装剤８，８，…のうち最も下になっている最下ＰＴＰ包装剤８１のうち案内部材４０の上に乗っているシート部８ａの後端を引っ掛けるので、順次排出機構３０は、収納空間１１の内底で引掛部材３５を前送りし、これで最下ＰＴＰ包装剤８１をやはり収納空間１１の内底で前送りして排出口２５から前方へ排出するものとなっている。
【００２７】
案内部材４０は（図２（ａ）〜（ｃ）参照）、細長い条材からなり、平たい基部４１の中央から幅の狭い上端部が立ち上がっていて、断面が概ねＴの字を上下反転させたような形状のものであり、その上端部の上面４２には全長に亘って案内溝４３が形成されている。案内溝４３は（図１参照）、無端ベルト３４のうち上側に来た部分をスッポリ収める断面形状になっていて、無端ベルト３４の循環経路の上側部分を規定するとともに、無端ベルト３４の外周の引掛部材３５を溝外へ突き出すような溝深さになっている。
【００２８】
また、案内部材４０は（図２（ｂ），（ｃ）参照）、その上端部の上面４２のうち前端寄り部分が、中央部分に比べて下向きに傾斜しており、その傾斜が、無端ベルト３４のうち案内部材４０の前端と前側のプーリー３３とに架かっている部分の傾斜とほぼ同じになっている（図２（ｅ）参照）。さらに、この案内部材４０は（図２（ｃ）参照）、基部４１の底面に着脱用ネジ穴４５，４５が形成されていて、順次排出機構３０の箱状体３２の内部の図示しない枠材や板材に対して着脱可能なので、基部４１から上面４２までの高さが異なるものを幾つか用意しておけば、取扱対象のＰＴＰ包装剤８の突起部８ｂの高さに応じて簡単に使い分けることができるものとなっている。
【００２９】
このような案内部材４０は（図１参照）、長手方向を一致させて順次排出機構３０に上述のように装着されて、上面４２及び上端部を収納空間１１の下から収納空間１１の中へ突き出した状態で且つ長手方向を前後に向けた状態で設けられたものとなる。そして、その突き出し高さ即ち内底画成部材兼用の上板３１の上面から案内部材４０の上面４２まで高度差が、取扱対象のＰＴＰ包装剤８の突起部８ｂの高さより少しだけ、具体的にはＰＴＰ包装剤８の反りや捻れの想定値を考慮した分だけ、大きくなるように、適切な案内部材４０が採用されていることを前提として、収納空間１１の内底で最下ＰＴＰ包装剤８１が突起部８ｂの形成面を下にしていれば、案内部材４０の上端部の上面４２が最下ＰＴＰ包装剤８１の突起部同士８ｂ，８ｂの間に収まってシート部８ａの下面を受け止めることで最下ＰＴＰ包装剤８１を前後方向移動可能に支承するようになっている。
【００３０】
プーリー３３は（図２（ｄ）参照）、その外周面に一周に亘って、無端ベルト３４を収める周回溝３３ａが形成されており、無端ベルト３４のうち下側に来た部分の端を転回させるようになっている（図２（ｅ）参照）。
無端ベルト３４は（図２（ｅ）参照）、案内部材４０の上端部の幅をＰＴＰ包装剤８の突起部同士８ｂ，８ｂの間隙より小さくすることができるよう、ベルト幅が小さくなっているが、ゴム等からなるＶベルトが採用されているうえ、そのＶベルトの断面形状にプーリー３３の周回溝３３ａの断面形状が対応しているので（図２（ｆ）参照）、プーリー３３によって滑ることなく駆動されて、的確に循環運動するとともに、引掛部材３５を外周側に維持して巡回させるものとなっている。
【００３１】
可撓性留具２４は（図３（ａ），（ｂ）参照）、複数個で無く一個だけが排出口２５の上部に設けられており、前板２３に上下位置調整可能に取り付けられる板状の基板部２４ａと、基板部２４ａの下端面に一列に並べて植設された髭状部２４ｂ＋２４ｃとを具備している。それらの髭状部材は何れも基板部２４ａから下方へ延びて排出口２５を上から狭めるものであるが、正面からみて（図３（ａ）参照）、左右の部分は一定長の短髭部２４ｂになり、中央の部分はそれより長い長髭部２４ｃになっていて、凸形を上下反転させた形状をしている。可撓性留具２４は、排出口２５の開度を加減する調整部材として前板２３に取り付けられるが（図３（ｃ），図１（ｂ），（ｃ）参照）、その際、凸形中央の長髭部２４ｃのうち短髭部２４ｂより下方へ突き出た部分が案内部材４０の案内溝４３の前方延長線上に来るように位置調整されて、長髭部２４ｃが最下ＰＴＰ包装剤８１とその直ぐ上の二番目ＰＴＰ包装剤８２の前方に位置するとともに、短髭部２４ｂが最下ＰＴＰ包装剤８１から外れて二番目ＰＴＰ包装剤８２の前方に位置するものである。
【００３２】
図示しない排出センサ及び制御手段は、従来品と同様で足りるので簡潔に述べるが、排出センサは、排出口２５の近傍に設けられたフォトセンサ等からなり、排出口２５を通過するＰＴＰ包装剤８に感応して、ＰＴＰ包装剤８の排出の有無検出に用いる信号を出力する。また、制御手段は、例えばマイクロプロセッサ等で具現化され、基本機能として、排出開始を指示する操作や信号等に応じて順次排出機構３０のモータを動作させるとともに、排出センサの出力信号に基づいて最下ＰＴＰ包装剤８１の排出完了を判定して完了後にモータを停止させるといった制御を行うものであり、ＰＴＰカセット１０に内蔵されていても良く、ＰＴＰカセット１０の外部に設けられていても良く、個々のＰＴＰカセット１０に専用のものでも、複数のＰＴＰカセット１０で共用されるものでも良い。
【００３３】
この実施例１のＰＴＰカセット１０について、その使用態様及び動作を、図面を引用して説明する。図４は、（ａ），（ｂ）、何れも、排出動作中のＰＴＰカセット１０の左側面図であり、左側板２２を透視した状態で図示している。
【００３４】
先ず、ＰＴＰカセット１０が空の場合は（図１（ａ），（ｂ）参照）、手作業で、ＰＴＰ包装剤８を整列収納部２０の解放上面や解放背面から補充する。そのとき、各々のＰＴＰ包装剤８を横にしたうえで、必ずシート部８ａを上にし突起部８ｂを下に向けた姿勢で、多数のＰＴＰ包装剤８の表裏を同じ向きに揃え、それらを収納空間１１の内底を画す上板３１の上に積み上げることで、整列収納部２０に囲まれた収納空間１１にＰＴＰ包装剤８，８，…を収納する。それから、収納したＰＴＰ包装剤８，８，…の後端を指等で軽く押して、ＰＴＰ包装剤８，８，…の列を整える（図１（ｃ），（ｄ）参照）。
【００３５】
こうして、収納空間１１に整列収納されたＰＴＰ包装剤８，８，…は、最下ＰＴＰ包装剤８１が突起部同士８ｂ，８ｂの間に案内部材４０の上端部が収まって左右位置が概ね決まるとともに案内部材４０の上面４２によって支承される。その状態で、最下ＰＴＰ包装剤８１の突起部８ｂは、上板３１から少し浮くか、変形や傾きの具合によって上板３１の上面に軽く触れるが、最下ＰＴＰ包装剤８１やその上のＰＴＰ包装剤８，８，…は、崩れないで整列状態を維持する。また、最下ＰＴＰ包装剤８１の前端は可撓性留具２４の長髭部２４ｃに当接して前後位置が決まり、二番目ＰＴＰ包装剤８２は可撓性留具２４の短髭部２４ｂに当接して前後位置が決まり、それより上のＰＴＰ包装剤８，８，…は前板２３に当接して前後位置が決まり、ＰＴＰ包装剤８の順次排出の準備が調う。
【００３６】
その後、ＰＴＰ包装剤８を一つずつ排出させるときには、図示しない制御手段に排出の指令や指示を与えて、ＰＴＰカセット１０に排出動作を行わせる。具体的には、制御手段が、図示しない排出センサの反射光不検出を確認しつつ、図示しない電動モータを作動させる。そうすると、無端ベルト３４が循環し、それに随伴して引掛部材３５が巡回移動し、順次排出機構３０の後部で上向いて収納空間１１に突き出た引掛部材３５が収納空間１１の内底を前方へ進行する。それから間もなく（図４（ａ）参照）、引掛部材３５が最下ＰＴＰ包装剤８１の後端を引っ掛けて前進するので、最下ＰＴＰ包装剤８１の前端部が可撓性留具２４の長髭部２４ｃを押し退けて排出口２５から前方へ出てくる。
【００３７】
可撓性留具２４の短髭部２４ｂは曲がり難いので二番目ＰＴＰ包装剤８２は止められて収納空間１１に留まるのに対し、長髭部２４ｃは曲がり易いので最下ＰＴＰ包装剤８１は自重や振動で勝手に前進することはないが引掛部材３５の推力を受けると収納空間１１から出てくる。その際、最下ＰＴＰ包装剤８１は、案内部材４０によって支承されて、進行方向を案内および規制されるとともに、姿勢を矯正されるため、腰が弱くても座屈などの横送りに不都合な変形が生じ難いうえ、反りがあってもその変形を不所望に増大させることなく、真っ直ぐ前進する。
【００３８】
そして（図４（ｂ）参照）、最下ＰＴＰ包装剤８１は、大部分が排出口２５を通過すると、自重で前下がりに傾斜し始めるが、そのころにはシート部８ａの後端が引掛部材３５と共に案内部材４０の上面傾斜部４４に差し掛かるので、引掛部材３５が上面傾斜部４４に沿って斜めに下りながら前進し、これによって最下ＰＴＰ包装剤８１も斜め下方へ押し出されるので、案内部材４０から外れてもほとんど変形しないで前方へ押し出される。また、引掛部材３５に対して不所望な強い反力が作用するのを回避することができるので、引掛部材３５が損傷しにくくて長持ちする。
【００３９】
それから、最下ＰＴＰ包装剤８１が排出口２５から前方へ排出されると、その排出中の最下ＰＴＰ包装剤８１からの反射光が排出センサによって検出され、これに応じて適宜なタイミングで電動モータの作動が停止するので、無端ベルト３４の循環動作も引掛部材３５の巡回移動も止まる。それと並行して、最下ＰＴＰ包装剤８１の抜けた収納空間１１の内底では、二番目ＰＴＰ包装剤８２が案内部材４０の上に下降して来て新たな最下ＰＴＰ包装剤となる。こうして、このＰＴＰカセット１０にあっては、ＰＴＰ包装剤８が下から一枚ずつ排出される。
【００４０】
［その他］
上記実施例では、案内部材４０の高さを変更可能にするために、案内部材４０がネジ止めにて全体を付け替えられるようになっていたが、案内部材４０を上下に分割して着脱式にし、そのうち上面４２及び案内溝４３を含む上端部を付け替えるようにしても良い。あるいは、案内部材４０を順次排出機構３０に取り付けたままでも案内部材４０の高さを変更可能にするために、案内部材４０が全体を又は上端部を上げ下げ調整できるようにしても良い。付け替えや上下調整の手段についても、ネジ止めやねじ込み量可変方式に限られる訳でなく、スペーサ交換やスペース調整など適宜な他の手段を採用しても良い。案内部材４０の個数についても、上例の一個に限られる訳でなく、複数個であっても良い。
【００４１】
また、上記実施例では、無端ベルト３４に引掛部材３５が一個しか装着されていなかったが、ＰＴＰ包装剤８の長さより間隔を空けることができれば複数個の引掛部材３５が無端ベルト３４に装着されていても良い（例えば特許文献１，２参照）。
さらに、上記実施例では、収納空間１１の内底が水平になる状態でＰＴＰカセット１０が設置されていたが、多少なら傾斜させても良い（例えば特許文献１，２参照）。
【産業上の利用可能性】
【００４２】
本発明のＰＴＰカセットは、ＰＴＰ包装剤の他、それと等価なシート状包装剤たとえばシート状包装やカード状包装の包装剤などにも、シート片面に突起部がありシート他面が平坦であれば、使用することができる。
本発明のＰＴＰカセットは、ＰＴＰ払出装置に一つ又は複数組み込んで使用される他、単体で使用することもできる。
【符号の説明】
【００４３】
８…ＰＴＰ包装剤、８ａ…シート部、８ｂ…突起部（薬剤区分収納部）、
８１…最下ＰＴＰ包装剤、８２…二番目ＰＴＰ包装剤、
１０…ＰＴＰカセット、１１…収納空間、
２０…整列収納部、２１…右側板、２２…左側板、２３…前板、
２４…可撓性留具（出口開度調整部材）、
２４ａ…基板部、２４ｂ…短髭部、２４ｃ…長髭部、２５…排出口、
３０…順次排出機構、３１…上板（内底画成部材）、
３２…箱状体、３３…プーリー、３３ａ…周回溝、
３４…無端ベルト（Ｖベルト）、３５…引掛部材、
４０…案内部材、４１…基部、４２…上面（上端部）、
４３…案内溝、４４…上面傾斜部、４５…着脱用ネジ穴
【図１】
2015150309.tif 000003
【図２】
2015150309.tif 000004
【図３】
2015150309.tif 000005
【図４】
2015150309.tif 000006